(57)【要約】【課題】タービンエンジンの動作時であっても、分解操作時であっても、あらゆる状況でカウリングセクタに設置可能な、レクティファイアのベーンのセクタ（５）の回転停止装置を提供する。【解決手段】レクティファイアのベーンのセクタは、支持基板（３）を含む。カウリングセクタは、支持基板の縁（３４−１、３４−２）をそれぞれ受容するカウリングの軸に垂直な２個の溝を含む。カウリングセクタの軸方向の同一端で、各溝は、軸方向の面（３２−１）を画定する収容部（３０−１、３０−２）に通じている。装置は、２個の溝の収容部（３０−１、３０−２）に各側で取り付けられる軸方向のストッパ（２６）を含んでおり、カウリングの係合セクタを設置後、タービンエンジンの動作時に、係合するレクティファイアのベーンのセクタのスラスト下で軸方向の面（３２−１）で支持されて回転を停止する。【選択図】      図９
2005083388.tif 000002
【特許請求の範囲】
【請求項１】
タービンエンジンのカウリングセクタ（１）に取り付けられる少なくとも一つのレクティファイアのベーンのセクタ（５）の回転停止装置であって、各レクティファイアのベーンのセクタが、ベーンの支持基板（３）を含み、カウリングセクタ（１）が、タービンエンジンのカウリングの回転軸に垂直な面に延びてレクティファイアのベーンのセクタの支持基板の縁（３４−１、３４−２）をそれぞれ受容する少なくとも２個の溝（６−１、６−２）を含む装置において、
軸方向の面におけるカウリングセクタ（１）の軸方向の同一端で、少なくとも２個の溝が、溝のセクタの寸法より大きい寸法の軸方向の面（１８−１、１８−２、３２−１）を対応する溝（６−１、６−２）と共に画定する収容部（１７−１、１７−２、３０−１、３０−２）をそれぞれ含み、回転停止装置が、軸方向に延びるように配置されたストッパ（１６、２６、４６、４１、４２）を含んでおり、このストッパが、片側で一方の溝の収容部（１７−１、３０−１）に取り付けられ、反対側で他方の溝の収容部（１７−２、３０−２）に取り付けられており、カウリングの係合セクタを設置後、タービンエンジンの動作時に、少なくとも一つの係合するレクティファイアのベーンのセクタのスラスト下で各収容部の軸方向の面（１８−１、１８−２、３２−１）で支持されて、少なくとも一つのベーンのセクタの回転を停止し、ストッパは、ベーンのセクタ（４１、４２）に結合されるか、またはバー（１６、２６、４６）に結合され、バーの少なくとも一端が、収容部への弾性組立および保持のための長手方向のスリットを有することを特徴とする、レクティファイアのベーンのセクタの回転停止装置。
【請求項２】
バー（１６）は、半径方向の寸法が、対応する収容部（１７−１、１７−２）の寸法よりも大きい二端を含んでおり、前記バー（１６）が、その各端に長手方向のスリット（１２）を含むことを特徴とする、請求項１に記載の装置。
【請求項３】
バー（４６）が、第一の溝の収容部から、軸方向に隣接しない第二の溝の収容部に延びており、バーが、少なくとも２個の中間溝で支持され、軸方向に隣接する少なくとも２個のベーンのセクタのためのストッパを形成することを特徴とする、請求項１または２に記載の装置。
【請求項４】
バー（４６）が、４個の中間溝で支持され、軸方向に隣接する３個のベーンのセクタに対してストッパを形成することを特徴とする、請求項３に記載の装置。
【請求項５】
バー（４６）が、軸方向に延びる複数の部分を含むことを特徴とする、請求項１から４のいずれか一項に記載の装置。
【請求項６】
ベーンのセクタ（４１、４２）に結合されるストッパが、ベーンのセクタの基板（３）と一体成形され、ベーンのセクタの端に配置されることを特徴とする、請求項１に記載の装置。
【請求項７】
ベーンのセクタ（４１、４２）に結合されるストッパが、ベーンのセクタの基板にろう付けにより嵌め込まれてベーンのセクタの一端に配置されるストッパを含むことを特徴とする、請求項１に記載の装置。
【請求項８】
ストッパが、第一の溝の収容部に対応する第一のストッパ部材（４１）と、第二の溝の収容部に対応する第二のストッパ部材（４２）とを含むことを特徴とする、請求項６または７に記載の装置。
【請求項９】
各収容部（３０−１、３０−２）が、軸方向に延びる所定幅の切り込みを含んでおり、この切り込みが、溝側で、溝のセクタの寸法よりも大きい寸法の軸方向の面（３２−１）により画定され、カウリングセクタの端側で、ひとたび収容部に配置されたバーを固定するのに適した軸方向の面（３１−１、３１−２）により画定されることを特徴とする、請求項１に記載の装置。
【請求項１０】
請求項１から９のいずれか一項に記載の回転停止装置を含むタービンエンジン。
【発明の詳細な説明】
【技術分野】
【０００１】
本発明は、ターボジェットエンジンの高圧コンプレッサの分野に関し、特に、レクティファイアのベーン（ａｕｂｅｓ  ｄｅｓ  ｒｅｄｒｅｓｓｅｕｒｓ）のセクタ（ｓｅｃｔｅｕｒ）同士を結合する分野に関する。
【背景技術】
【０００２】
タービンエンジンの高圧コンプレッサは、カウリングからなるステータを含み、複数のセクタ、例えば２個の半シェル（ｄｅｍｉ−ｃｏｑｕｉｌｌｅ）から構成可能であって、その内部にレクティファイア（ｒｅｄｒｅｓｓｅｕｒ）のシュラウドが収容される。これらのシュラウドは、３６０°にわたって形成されるのではなく、複数のベーン（ａｕｂｅ）のセクタを含む。レクティファイアのベーンのセクタの端は、向かい合って配置されて、レクティファイアのベーンの羽根輪を形成する。ターボジェットエンジンの動作時には、レクティファイアのベーンの下面と上面との圧力差による空気力学的な応力と、レクティファイアのベーンのセクタの摩耗部（ａｂｒａｄａｂｌｅｓ）に対する動翼の摩擦による応力とが、レクティファイアのベーンのセクタに及ぼされる。これらの応力により、カウリングの２個の半シェルの接合面に重ねることができるベーンのセクタがその収容部で回転駆動されるので、メンテナンス作業時にカウリングの２個の半シェルの分解が妨げられる。
【０００３】
ベーンのセクタの回転の問題を解消するために、特にベーンのセクタの軸方向全長でベーンのセクタの端に接して配置されるロッドを各々の半シェルの一端に配置し、次いでボルト締め結合により２個の半シェルをしっかりと組み立てることが知られている。このロッドは、レクティファイアのベーンのセクタの回転停止装置の役割を果たす。しかし、この装置は、メンテナンス作業時にロッドを紛失しうるという欠点を有する。
【０００４】
また、米国特許第５３１８４０２号明細書から、レクティファイアのベーンのセクタの端に配置されるろう付け止め具が知られている。この実施形態は、メンテナンス作業時にこの止め具を分解不能であるという欠点を有する。
【特許文献１】米国特許第５３１８４０２号明細書
【発明の開示】
【発明が解決しようとする課題】
【０００５】
そのため、本発明は、特に上記の欠点を解消できる様々な実施形態を提示する。
【課題を解決するための手段】
【０００６】
本発明は、タービンエンジンのカウリングセクタに取り付けられる少なくとも一つのレクティファイアのベーンのセクタの回転停止装置に関し、各レクティファイアのベーンのセクタが、このベーンの支持基板を含み、カウリングセクタが、タービンエンジンのカウリングの回転軸に垂直な面に延びてレクティファイアのベーンのセクタの支持基板の縁をそれぞれ受容する少なくとも２個の溝（ｇｏｒｇｅｓ）を含む。
【０００７】
本発明の主な特徴によれば、軸方向の面におけるカウリングセクタの軸方向の同一端で、少なくとも２個の溝が、溝のセクタの寸法より大きい寸法の軸方向の面を対応する溝と共に画定する収容部（ｌｏｇｅｍｅｎｔｓ）をそれぞれ含む。
【０００８】
本発明の別の主な特徴によれば、回転停止装置が、軸方向に延びるように配置されたストッパを含んでおり、このストッパが、片側で一方の溝の収容部に取り付けられ、反対側で他方の溝の収容部に取り付けられ、カウリングの係合（ｃｏｍｐｌｅｍｅｎｔａｉｒｅ）セクタを設置後、タービンエンジンの動作時に、少なくとも一つの係合するレクティファイアのベーンのセクタのスラスト下で各収容部の軸方向の面で支持されて、少なくとも一つのベーンのセクタの回転を停止し、ストッパ（ｂｕｔｅｅ）は、ベーンのセクタに結合されるか、またはバー（ｂａｒｅｔｔｅ）に結合され、バーの少なくとも一端が、収容部への弾性組立および保持のための長手方向のスリットを有する。
【０００９】
本発明の第一の実施形態によれば、バーは、半径方向の寸法が、対応する収容部の寸法よりも大きい二端を含んでおり、前記バーが、その各端に長手方向のスリットを含む。
【００１０】
本発明の第二の実施形態によれば、バーは、第一の溝の収容部から、軸方向に隣接しない第二の溝の収容部に延びており、このバーは、少なくとも２個の中間溝で支持され、軸方向に隣接する少なくとも２個のベーンのセクタのためのストッパをなす。
【００１１】
本発明の第三の実施形態によれば、バーは、４個の中間溝で支持され、軸方向に隣接する３個のベーンのセクタに対してストッパをなす。
【００１２】
有利には、バーは、軸方向に延びる複数の部分を含む。
【００１３】
本発明の第四の実施形態によれば、ベーンのセクタに結合されるストッパが、ベーンのセクタの基板と一体成形され、ベーンのセクタの端に配置される。
【００１４】
変形実施形態では、ベーンのセクタに結合されるストッパが、ベーンのセクタの基板にろう付けにより嵌め込まれてベーンのセクタの一端に配置されるストッパを含む。好適には、ストッパが、第一の溝の収容部に対応する第一のストッパ部材と、第二の溝の収容部に対応する第二のストッパ部材とを含む。
【００１５】
本発明の第五の実施形態によれば、各収容部が、軸方向に延びる所定の幅の切り込み（ｒａｉｎｕｒｅ）を含んでおり、この切り込みが、溝側で、溝セクタの寸法よりも大きい寸法の軸方向の面より画定され、カウリングセクタの端側で、ひとたび収容部に配置されたバーを固定するのに適した軸方向の面により画定される。
【００１６】
これらの様々な実施形態は、特に、例えばタービンエンジンの動作時であっても、分解操作時であっても、あらゆる状況でストッパを定位置に保持可能であるという長所を有する。
【００１７】
さらに、上記の実施形態の大部分は、レクティファイアの各段の間における流体の漏洩を回避できる。
【００１８】
以下の図は、限定的ではないが、発明の実施形態を示す。
【発明を実施するための最良の形態】
【００１９】
図は、主に、確実な性質を持つ要素を含む。図は、発明の詳細な説明をいっそう理解させる役割を果たすのみならず、場合によっては発明を定義することにも貢献する。
【００２０】
図１は、カウリング全体を構成するために係合セクタに固定されるのに適したタービンエンジンのカウリングセクタ１を示している。半円筒形のこのセクタは、半シェルと呼ばれ、タービンエンジンの回転軸を軸として有し、係合セクタのフランジと接するように構成されたフランジ９をそれぞれが備える二端Ｅ１、Ｅ２を含む。これらのフランジ９は、互いに係合される二セクタを固定するように係合セクタのフランジの穴と向かい合って配置される穴１０を備える。各々のシュラウドセクタは、穴を備えた半円形のフランジ８を同様に含む。カウリング全体をなす２個のセクタを組み立てると、２個のセクタのフランジ８は、タービンエンジンの他方のカウリングの係合フランジと接する。カウリングは、接触するフランジの孔を貫通する固定手段、例えばボルトにより互いに組み立てられる。各々のカウリングセクタ１は、カウリング内部に開いた半円形の複数の切り込み７を含み、各切り込みが、レクティファイアのベーンのセクタを受容するように構成されている。
【００２１】
レクティファイアのベーンの羽根輪は、カウリングの２セクタの一方にそれぞれ配置された少なくとも２個のレクティファイアのベーンのセクタから構成され、ベーンのセクタの端が向かい合っている。レクティファイアのベーンのセクタは、外側プラットフォームと呼ばれる半径方向に外側の円筒形基板３を含む。この円筒基板３は、内側プラットフォームと呼ばれる半径方向に内側の円筒形基板４により互いに固定されるレクティファイアのベーン５を支持する。カウリングセクタ１の各切り込み７は、２個の円形溝６を備え、各々がレクティファイアのベーンのセクタの外側プラットフォームの二端のうちの一方を受容するようにしている。
【００２２】
ターボジェットエンジンの動作時に、空気力学的な応力がこれらのレクティファイアのベーンのセクタに及ぼされ、これらの応力は、摩耗材料からなるレクティファイアのベーンのセクタの内側プラットフォーム４に対するロータの動翼の摩擦によって生じる。ベーンのセクタが回転すると、メンテナンス作業時にカウリングセクタを分解できなくなる。
【００２３】
こうしたベーンのセクタの回転の問題を解消するために、端Ｅ１またはＥ２の一方に、フランジ９に接して配置されるロッド、特にフランジ９の軸方向全長でベーンのセクタの外側プラットフォームの端に接して配置されるロッドを、次いで、カウリング１の二セクタをしっかりと組み立てることが知られている。その場合、このバーは、レクティファイアのベーンのセクタの回転停止装置の役割を果たす。しかし、この装置は、メンテナンス作業時にバーを紛失しうるという不都合がある。しかも、コンプレッサの複数段の間を流体が通る可能性がある。
【００２４】
従って、本発明は、特に上記の不都合の少なくとも幾つかを解消できる様々な実施形態を提示する。
【００２５】
図２から７は、本発明による第一の実施形態を示す。
【００２６】
図２は、シュラウドセクタの一端に軸方向に配置可能な長手方向のバー１６を示している。より詳しくは、このバー１６が、第一の長手方向の端１３を含み、段差１４に続き、次いで第二の長手方向の端１５に続いている。第一および第二の端は、それぞれ、長手方向のスリット１２を備える。バーの端１３のスリット１２は、スリット１２の両側で第一の端アーム２３と第二の端アーム２２とを画定する。バーの端１５では、スリット１２の両側で第一の端アーム２０と第二の端アーム２１とが画定されている。解放状態におけるバーの各端の幅をＬ１と記す。
【００２７】
このバー１６は、レクティファイアのベーンのセクタをタービンエンジンのカウリングのシュラウドセクタにひとたび配置された後、設置されるように構成される。
【００２８】
図３は、タービンエンジンのカウリングのシュラウドセクタの一端Ｅ１を示している。シュラウドセクタの端の各切り込み７−１、７−２は、向かい合って配置される２個の半円形の溝６−１及び６−２、６−３及び６−４を含む。各溝の深さは軸方向に延びている。２個の溝の各々は、レクティファイアのベーンのセクタの外側プラットフォームの半円形の縁を受容する。各々の半円形の溝は、少なくともその一端で、対応する溝よりも大きい寸法の収容部１７−１、１７−２、１７−３、１７−４に続いている。バー１６の端１３、１５は、収容部１７−１、１７−２にそれぞれ設置されるように構成されている。
【００２９】
図４、５および図６、７では特に、溝６−１の端Ｄ３４および溝６−２の端Ｄ３５をそれぞれ詳しく示した。
【００３０】
図４は、溝６−１と、対応する収容部１７−１との各寸法を示している。図５は、図４の右側部分の図である。半円形の溝６−１は、半径方向の寸法、すなわち溝の高さＬ３を有し、その一端で、高さＬ３よりも大きい半径方向の寸法Ｌ２の収容部１７−１に通じている。こうして、収容部１７−１は、溝の深さおよび高さを越えて軸方向および半径方向に延びる軸方向の接触面１８−１を画定している。
【００３１】
図６は、半円形の溝６−１に向かい合う半円形の溝６−２の端Ｄ３５を示している。半径方向の寸法Ｌ３を有するこの半円形の溝６−２は、半径方向の寸法Ｌ２が半径方向の寸法Ｌ３よりも大きい収容部１７−２に続いている。この収容部１７−２は、溝の深さおよび高さを越えて軸方向および半径方向に延びる軸方向の接触面１８−２を画定している。
【００３２】
向かい合った溝を互いに異なる寸法にしてもよいことは自明である。
【００３３】
図７は、図６の左側部分を示す図である。
【００３４】
レクティファイアのベーンのセクタを溝６−１、６−２に設置後、バーの端アーム２３、２２または２０、２１をクランプ（ｐｉｎｃｅｍｅｎｔ）により接近させる。端１３、１５を、それぞれ収容部１７−１、１７−２に設置することにより、端アーム２３、２２または２０、２１が接触面１８−１または１８−２に接触するようにする。その場合、端アームを解放可能である。解放されるバーの一端の幅に対応する寸法Ｌ１は、対応する収容部の半径方向の寸法（すなわち幅）に対応する寸法Ｌ２以上でなければならない。このようにして、バー１６は、対応する収容部で各端により弾性的に保持される。クランプにより端アームを接近させる場合、収容部に端を挿入可能にするように、バーの各端を、対応する収容部の寸法Ｌ２よりも狭い幅Ｌにしなければならない。これを弾性組立と呼んでいる。
【００３５】
もちろん、収容部１７−１、１７−２は、半径方向および軸方向の寸法を異なる寸法にしてもよく、これらの収容部に設置されるバー１６の端１３、１５についても同様である。
【００３６】
図１３は、カウリングセクタに設置され、回転装置による回転を停止された、３個のレクティファイアのベーンのセクタを示しており、半円形の溝の端に収容部を含み、これらの収容部に端が設置されるバー１６は、収容部の接触面に支えられており、収容部の接触面に対して垂直な面で端アームの圧力により弾性的に保持されている。半円形の溝と、対応する端の収容部との半径方向の位置に応じて、長手方向の寸法が多少とも大きい段差部分をバー１６が含んでいることに留意されたい。一般に、向かい合った２個の収容部の半径方向の距離が長ければ長いほど、段差部分の長手方向の寸法が大きくなる。バー１６−１の段差部分は比較的大きいことに注目されたい。このバーのスリット１２は、段差部分の一部まで、バーの端に沿って延びている。
【００３７】
図１２は、レクティファイアのベーンのセクタの回転停止装置の高さで、カウリングセクタ１をカウリングセクタ２に組み立てるところを示す部分横断面図である。
【００３８】
動作時に、レクティファイアのベーンのセクタの基板３は、軸方向接触面１８−２と接触するバーの軸方向の面に平行なバー１６の軸方向の面に圧力Ｆを及ぼし、この基板によりバー１６が軸方向接触面１８−２に対して押される。
【００３９】
図１４は、本発明による第二の実施形態を示している。
【００４０】
回転停止装置は、タービンエンジンのカウリングのシュラウドセクタの半円形の溝の端に配置された複数の収容部と、レクティファイアのベーンのセクタの端に配置された１個のストッパとを含む。図１４に示したように、このストッパは、レクティファイアのベーンのセクタの外側プラットフォームと一体成形されるか、または、同じプラットフォームにろう付け（ｂｒａｓａｇｅ）により溶接可能である。図１４は、単なる例として、レクティファイアのベーンのセクタの外側プラットフォームの横縁に配置された１個のストッパを含むストッパを示しており、このストッパは、横縁の一端に配置された第一の部分４１と、横縁の他端に配置された第二の部分４２とを含んでいる。これらの第一および第二の部分４１、４２の半径方向の寸法（すなわち高さ）は、図４から７に示した収容部の半径方向の寸法Ｌ２以下であり、そして、対応する半円形の溝の半径方向の寸法Ｌ３以上である。この実施形態では、ストッパがレクティファイアのベーンのセクタに組み込まれているので、カウリングセクタの分解を含むメンテナンス作業時にストッパを紛失することが回避される。この実施形態は、また、タービンエンジンの各段の間で流体が漏洩しないようにすることができる。
【００４１】
図８、９は、本発明による第三の実施形態を示している。
【００４２】
図８は、カウリングセクタの端の斜視図である。この端は、上記のフランジ９、８を含んでいる。レクティファイアのベーンのセクタは、向かい合った溝６−１、６−２にスライドされて示されている。このセクタは、ベーン５と、内側プラットフォーム４とを含む。レクティファイアのベーンのセクタの回転停止装置は、適切な収容部に配置されたバー２６を含む。この装置を特に図９に詳細に示す。
【００４３】
図９では、レクティファイアのベーンのセクタの外側プラットフォーム３が、その縁に、溝６−１、６−２の寸法（高さおよび深さ）より小さい半径方向の寸法（または高さ）および軸方向の寸法を有する半円形のフック３４−１、３４−２を軸方向に備えており、これらのフックが、対応する溝で摺動できるようにしている。
【００４４】
溝６−１、６−２は、収容部３０−１、３０−２に続いている。収容部３０−１は、軸方向の面（回転軸を通る面）に延びる切り込みを画定し、この切り込みは、半円形の溝の側で軸方向の面３２−１により囲まれ、この面に向かい合って軸方向の面３１−１により囲まれる底面３３−１を含む。収容部３０−２は、収容部３０−１の軸方向の正面に同様に構成される。これらの軸方向の面３１−１、３１−２、３２−１は、対応する溝セクタよりも大きい寸法を有する。
【００４５】
バー２６は、第一の端２３と第二の端２５とを含み、第二の端は、長手方向に開いたスリットを含んでいる。このスリットの両側に、第一の端アーム２８と第二の端アーム２９とが画定される。
【００４６】
バー２６の端２３は、溝３３−１の底の幅を上回る厚みを有する。収容部３０−１の切り込みでバーの端２３がスライドできるように、この端２３は、その周辺部に、収容部３０−１の切り込みの軸方向の面３１−１と接触するのに適した軸方向の面２４により画定されてストッパの役割を果たすショルダを備えている。同様に、端アーム２８、２９は、その外周に、特に軸方向の面２８−１または２９−１により画定されるショルダを備えている。この面は、ストッパの役割を果たすために収容部３０−２の切り込みの面３１−２と接触するように構成されている。バーの設置に際して、端アーム２８、２９をクランプにより接近させ、端２３を収容部３０−１の切り込みに滑り込ませ、端２５を収容部３０−２の切り込みに挿入する。収容部３０−２に挿入後、２個の端アーム２８、２９を解放して、軸方向の面２８−１、２９−１が収容部３０−２の切り込みの軸方向の面３１−２と接するようにする。このようにして、収容部３０−１、３０−２は、バー２６と共に接触面３２−１と３１−１、３１−２とを画定し、このバーは、いずれの回転方向においてもこれらの接触面に当たる。端アーム２８、２９をクランプにより接触させるとき、バーの端２５の半径方向の寸法が収容部３０−１、３０−２の開口部の半径方向の寸法より小さいことに留意されたい。こうして、端アーム２８、２９のクランプ後、バーの端２５を収容部３０−２の切り込みに挿入することができる。
【００４７】
この実施形態は、収容部へのバーの保持を可能にするものである。
【００４８】
同様に、切り込みを十分な幅にして、ショルダを設けずにバーの端の厚みを受容できるようにすることも可能である。
【００４９】
図１０、１１は、本発明による第四の実施形態を示している。
【００５０】
この実施形態では、バー４６が、第一の実施形態で定義したように二端４７、４８を含む。そのため、各端４７、４８の長手方向のスリットは、図３の実施形態による収容部に設置されるように構成されている。このバー４６は、第一のレクティファイアのベーンのセクタに対応する第一の収容部から、第三のレクティファイアのベーンのセクタに対応する第二の対向収容部まで延びるような長さを有する。従って、複数のレクティファイアのベーンのセクタの回転停止装置として、単一のバーが、適切な収容部に対応して用いられる。バーの一端を受容する第一の収容部と、バーの第二の端を受容する第二の収容部との間にある中間溝は、収容部を含まず、切り込みを含み、この切り込みにバーが収容される。バー４６は、結合部分により相互接続される複数部分から構成され、異なる半径方向の位置に配置される半円形の溝の端がバー４６の一部に通じるようにされる。これらの部分は、バー４６の幾つかの箇所、例えば接触点５０、５２、５４、５６でカウリングの各要素と接触するように構成される。しかし、バーとカウリングとの間には遊び、例えば遊びＪ、Ｊ１からＪ８が存在し、コンプレッサの各整流段の間の流体の漏洩スペースを残している。
【００５１】
図１１は、バーが状態Ｔ１にあるとき、すなわち対応する収容部に挿入されているとき、このバー４６を実線で概略的に示したものである。三角形は、バーとカウリングとの接触点を示している。バー４６が対応する収容部から除去されると、状態Ｔ２の解放状態になる。
【００５２】
いずれの実施形態においても、レクティファイアのベーンのセクタの回転停止装置のストッパ（ベーンのセクタに固定されたバーまたはストッパ）を、タービンエンジンのシュラウドセクタの分解時に紛失しないという長所がある。
【００５３】
本発明は、例としてのみ挙げた上記の回転停止装置の実施形態に制限されるものではなく、当業者が検討可能な全ての変形実施形態を含む。
【図面の簡単な説明】
【００５４】
【図１】レクティファイアのベーンのセクタを備えたタービンエンジンのカウリングセクタの半シェルを示す斜視図である。
【図２】本発明による回転停止装置の一部を構成するバーを半シェルの接合面で示す軸方向の断面図である。
【図３】本発明の第一の実施形態による回転停止装置の一部を含むタービンエンジンのカウリングのシュラウドセクタの一端を、半シェルの接合面で示す軸方向の断面図である。
【図４】図３の回転停止装置のＤ３４の詳細図である。
【図５】図４の右側部分の詳細図である。
【図６】図３の回転停止装置の詳細図である。
【図７】図６の左側部分の詳細図である。
【図８】本発明の第二の実施形態による回転停止装置を含み、特に回転停止装置の第三の実施形態によるバーを含む、タービンエンジンのカウリングの半シェルを示す三次元斜視図である。
【図９】タービンエンジンのカウリングのシュラウドセクタが、本発明の第二の実施形態による回転停止装置の一部を含んでおり、このセクタの一端に、本発明の第二の実施形態によるバーの設置前の状態を示す、詳細な三次元斜視図である。
【図１０】本発明の第三の実施形態による回転停止装置を含み、特に回転停止装置の第三の実施形態によるバーを含む、タービンエンジンのカウリングの半シェルの一端を示す平面図である。
【図１１】本発明の第三の実施形態によるタービンエンジンのカウリングのシュラウドセクタの一端でバーの支点を示すバーの概略図である。
【図１２】動作中のベーンのセクタの回転停止装置を示す部分横断面図である。
【図１３】本発明の第一の実施形態による回転停止装置を含み、特に回転停止装置の第一の実施形態によるバーを含む、タービンエンジンのカウリングの半シェルの一端の平面図である。
【図１４】本発明の第四の実施形態による回転停止装置の一部を含むレクティファイアのベーンのセクタを示す三次元斜視図である。
【符号の説明】
【００５５】
１、２  カウリングセクタ
３  支持基板
４  円筒基板
５、４１、４２  レクティファイアのベーンのセクタ
６−１、６−２、６−３、６−４  溝
７−１、７−２  切り込み
８、９  フランジ
１０  穴
１２  スリット
１３、１５  バーの端
１４  段差
１６、２６、４６  ストッパまたはバー
１７−１、１７−２、１７−３、１７−４  収容部
１８−１、１８−２  軸方向の接触面
２０、２１、２２、２３  バーの端アーム
２４、２８−１、２９−１、３１−１、３１−２、３２−１  軸方向の面
２５、４７、４８、Ｄ３４、Ｄ３５、Ｅ１、Ｅ２  端
２６、４６  バー
２８、２９  端アーム
３０−１、３０−２  収容部
３３−１  底面
３４−１、３４−２  支持基板の縁またはフック
５０、５２、５４、５６  接触点
Ｌ１、Ｌ２、Ｌ３  寸法
Ｊ、Ｊ１からＪ８  遊び
Ｔ１、Ｔ２  状態
【図１】
2005083388.tif 000003
【図２】
2005083388.tif 000004
【図３】
2005083388.tif 000005
【図４】
2005083388.tif 000006
【図５】
2005083388.tif 000007
【図６】
2005083388.tif 000008
【図７】
2005083388.tif 000009
【図８】
2005083388.tif 000010
【図９】
2005083388.tif 000011
【図１０】
2005083388.tif 000012
【図１１】
2005083388.tif 000013
【図１２】
2005083388.tif 000014
【図１３】
2005083388.tif 000015
【図１４】
2005083388.tif 000016